(57)【特許請求の範囲】
【請求項１】
プロジェクターの画像を投影させる反射型スクリーンであって、片面に非光透過性の印刷を施した透明板素材の多数をブロック状に積層し、該ブロックを各素材面と直交する方向にスライスすることにより、非光透過性の印刷層による多数の遮光壁（２）を肉厚方向に沿って平行にストライプ状に形成した視野角制限パネル（１）の前面に、紫外線硬化樹脂を塗布し、表面を梨子地粗面とした透明板材（７）を圧着させて前記紫外線硬化樹脂を押し広げながら紫外線を照射して硬化させることにより光透過可能な梨子地粗面となったアンチグレア層（５）を形成すると共に、後面に、白色或いは銀色のナイロン樹脂またはウレタン樹脂によるフィルムを貼着することにより反射層（３）を形成したことを特徴とする反射型スクリーン。
【発明の詳細な説明】
【技術分野】
【０００１】
本発明は、プロジェクターの画像を投影させる反射型スクリーンに関する。
【背景技術】
【０００２】
プロジェクター等の画像を投影させるスクリーンの最もシンプルな形態は、白布に反射コーティングを施した布幕である（例えば特許文献１）。しかしながら、プロジェクターの如く使用する周囲の環境が明るい場合には、投影光以外の自然光・室内光等の外来光もスクリーンに入射してしまうため、投影像が不鮮明で見にくい問題があった。コントラストが低下し、画像や文字が視認しにくいのである。
【０００３】
この点に関し、投影光以外の外来光をできるだけ遮断して投影像を鮮明にする手段として、スクリーンに視野角を制限することのできるルーバーパネルを用いることが考えられる。このルーバーパネルは、例えば特許文献２に開示されているような手段で成形される構成である。即ち、透明板素材の片面に非光透過性の印刷を施して、この透明板素材の多数をブロック状に積層し、ブロックを各素材面と直交する方向（積層方向に沿った方向）にスライスすることにより、パネル形状とする。
【０００４】
このルーバーパネルは、スライス成形した結果、非光透過性の印刷層により遮光壁がストライプ状に形成されることになるので、この遮光壁が投影光以外の外来光をできるだけ遮断することになる。
【０００５】
詳述するならば、塩化ビニール、アクリル、ウレタン、シリコン、ポリアセテート等の樹脂製の例えば約１００μｍの肉厚の透明板素材の片面に非光透過性の印刷を施し、この透明板素材を多数積層して熱圧縮してブロック状とし、このブロックを上記した形態でスライスすることにより、例えば２００μｍの肉薄な板状に成形する。
【０００６】
図１で示したスライス成形された２００μｍの薄い板状の透明なルーバーパネルである視野角制限パネル１には、非光透過性の印刷層によって遮光壁２がストライプ状に形成されることになり、視野角制限パネル１の肉厚ｄが約２００μｍであるのに対し、遮光壁２の間隔ｄ’は透明板素材の肉厚ｄ’である約１００μｍとなる。そして図１、図２は反射型スクリーンとして利用する場合の代表的な構成で、視野角制限パネル１に於ける観察者Ａ、プロジェクターＰとは反対側の面である後面に、ポリエチレンテレフタレート樹脂、ポリカーボネート樹脂等による約１００μｍの反射層３を施す。
【０００７】
ここでは、仮想法線ａに対し３０度の角度即ち計６０度の角度まで入射するプロジェクターＰからの投影光ｂは、反射層３に達し、ここで反射して観察者Ａが視認することができる。しかしながら仮想法線ａに対し３０度を越える角度から入射する外来光ｃは遮光壁２に遮られて吸収されてしまうので反射層３に達することはなく、観察者Ａ方向に反射することはない。従って観察者Ａは外来光ｃに影響されることなく映像を鮮明に視認することができることになる。
【０００８】
処で、視認性を更に向上させるためには、視野角制限パネル１の観察者Ａ側の面を、微細な凹凸により所謂梨子地粗面を光透過性を確保しながらも形成して、反射光を乱反射させる方式（アンチグレア方式、ＡＧ方式）で構成する必要がある。このアンチグレア層は、背景光を乱反射して拡散させ、映り込んだ観察者Ａの背景の画像の輪郭をぼやけさせて画像を視認し易くするのであり、約２００μｍのポリエチレンテレフタレート樹脂、ポリカーボネート樹脂の層の表面に紫外線硬化樹脂を付着させて形成する。しかしながらこの構成では、視野角制限パネル１の肉厚ｄの約２００μｍ、反射層３の肉厚約１００μｍにアンチグレア層の肉厚約２００μｍを加えると、スクリーン全体の厚みが約５００μｍの剛性な板状となってしまい、不使用時の取り扱いに不便なものになる。
【特許文献１】特開２００３−２０７８５２号公報
【特許文献２】特公昭５８−４７６８１号公報
【特許文献３】特開平８−５０３３２号公報
【発明の開示】
【発明が解決しようとする課題】
【０００９】
特許文献１で開示された発明のように布幕製のものであれば不使用時には巻き取り収納しておくことが可能であるが、特許文献２で開示された発明はパネル形態であるから巻き取り収納は不可能である。また、特許文献３では多層構造の反射型スクリーンの発明が開示されており、巻き取り収納が可能である旨の記載があるが、視野角を広くとるための構成であるため、特許文献２で開示された発明のパネルのように観察者Ａは外来光ｃに影響されることなく映像を鮮明に視認することができるかどうか疑問である。
【００１０】
よって本発明は、上記従来の欠点不都合を解消するべく開発されたものであって、外来光及び背景光の反射を極力抑制することにより、画像自体の視認性を飛躍的に向上させながらも、不使用時に巻き取り収納が可能となるようにすることを目的とする。
【課題を解決するための手段】
【００１１】
上記課題を解決するため、本発明の反射型スクリーンは、プロジェクターの画像を投影させる反射型スクリーンであって、片面に非光透過性の印刷を施した透明板素材の多数をブロック状に積層し、このブロックを各素材面と直交する方向にスライスすることにより、非光透過性の印刷層による多数の遮光壁を肉厚方向に沿って平行にストライプ状に形成した視野角制限パネルの前面に、紫外線硬化樹脂を塗布し、表面を梨子地粗面とした透明板材を圧着させて前記紫外線硬化樹脂を押し広げながら紫外線を照射して硬化させることにより光透過可能な梨子地粗面となったアンチグレア層を形成すると共に、後面に、白色或いは銀色のナイロン樹脂またはウレタン樹脂によるフィルムを貼着することにより反射層を形成したことを特徴とする構成である。
【発明の効果】
【００１３】
上記した請求項１に記載の発明によれば、ストライプ状に形成した遮光壁によって外来光の入反射が抑制されるので観察者は映像を極めて明瞭に視認することができる。
【００１４】
そして背景光を乱反射して拡散させ、映り込んだ背景画像の輪郭をぼやけさせて画像を視認し易くするためのアンチグレア層は、紫外線硬化樹脂により薄くすることができ、また、反射層はナイロン樹脂、ウレタン樹脂等によって形成されているため同様に薄くすることができるので、スクリーンパネルとしても極めて薄いものにすることができ、巻回しても永久変形や折れ曲がってしまうことはなく、不使用時の巻き取り収納が可能なものになる。特に反射層を形成するナイロン樹脂或いはウレタン樹脂等は、軟質であって、耐摩耗性、耐擦傷性に優れ、繰り返しての巻回によっても製品として劣化してしまうことはない。
【００１５】
また、透明板材の梨子地粗面を、紫外線硬化樹脂を介在させて視野角制限パネルの前面に圧着させるので、その梨子地粗面を転写させる形態で視野角制限パネルの前面に紫外線硬化樹脂をアンチグレア層として極めて容易に、しかも充分に薄くハードコートとして形成することができる。
【発明を実施するための最良の形態】
【００１６】
図２にあって、視野角制限パネル１は、塩化ビニール、アクリル、シリコン、ポリアセテート等の樹脂製で、２００μｍ（ｄ間隔）の肉薄な板状であり、非光透過性の印刷層によって１００μｍ（ｄ’間隔）の幅でストライプ状に遮光壁２が形成されている。即ち、この遮光壁２は、片面に非光透過性の印刷を施した１００μｍ（ｄ’間隔）の透明板素材の多数をブロック状に積層し、このブロックを各素材面と直交する方向に２００μｍ（ｄ間隔）の肉厚でスライスすることにより、非光透過性の印刷層をもって形成されるものであり、多数の遮光壁２は視野角制限パネル１の肉厚方向に沿って設けられることになる。そしてこの視野角制限パネル１の後面に、反射層３を白色或いは銀色のナイロン樹脂、ウレタン樹脂等による約５０乃至１００μｍのフィルムを貼着することにより施す。この反射層３となるフィルムを貼着するには、例えば紫外線硬化樹脂による接着層４で達成する。また、視野角制限パネル１の前面には、紫外線硬化樹脂により光透過可能な梨子地粗面となった約１０μｍのアンチグレア層５を形成する。従って、本発明のスクリーンは、概ね３００μｍ弱の肉薄のものに成形できるため、繰り返しての巻回収納に充分耐えることができる。
【実施例１】
【００１７】
図３は、視野角制限パネル１の前面にアンチグレア層５を形成するための装置の一例を示すものにして、所定のベースプレート６上に視野角制限パネル１を載置し、視野角制限パネル１の前面に紫外線硬化樹脂を線状に且つほぼ等間隔に塗布し（図示省略）、更に上面にガラス板による透明板材７を配置する。この場合、視野角制限パネル１の前面に対向する透明板材７の面は梨子地粗面とする（図示省略）。
【００１８】
上記したように視野角制限パネル１をベースプレート６と透明板材７とにより挟持した状態で、圧延ローラー８により視野角制限パネル１の前面に透明板材７を圧着させて紫外線硬化樹脂を視野角制限パネル１の前面に引き延ばし、紫外線照射装置９により紫外線を透明板材７を透過して照射することにより硬化させる。透明板材７の梨子地粗面は視野角制限パネル１の前面に対向しているので、押し広げられ、引き延ばされて硬化した樹脂も梨子地粗面となってアンチグレア層５を得ることになる。アンチグレア層５の厚みは、圧延ローラー８の圧延度合い、紫外線硬化樹脂の塗布量によって調整することができる。
【図面の簡単な説明】
【００１９】
【図１】従来技術の説明図である。
【図２】本発明の説明図である。
【図３】アンチグレア層の形成装置を示す説明図である。
【符号の説明】
【００２０】
１  視野角制限パネル
２  遮光壁
３  反射層
４  接着層
５  アンチグレア層
６  ベースプレート
７  透明板材
８  圧延ローラー
９  紫外線照射装置
【図１】
0004701043.tif 000002
【図２】
0004701043.tif 000003
【図３】
0004701043.tif 000004